(57)【要約】  ディスプレイをその位置から除去する必要なしに構成要素を除去し修理または交換することができる電子ディスプレイアセンブリである。バックプレーンは、画像生成アセンブリと電気通信することができ、かつ複数のブラインド・メイト・コネクタを含むことができる。ブラインド・メイト・コネクタには様々な電子アセンブリを接続することができる。アクセスパネルが電子アセンブリにアクセスできるようにし、それによってハウジングから電子アセンブリを除去することができる。１個の電源が故障した場合であってもその故障した電源が交換されまでユニットが動作し続けることになるように、Ｎ＋１個の電源が使用されうる。電子アセンブリは、ディスプレイハウジングの左側面、右側面、上面、または底面から除去することができる。任意の平面パネル電子ディスプレイが使用されうる。
2012514956.tif 000002
【特許請求の範囲】
【請求項１】
電子ディスプレイであって、
画像生成電子アセンブリと、
前記画像生成電子アセンブリと電気通信しているバックプレーンと、
前記バックプレーンに着脱可能に接続されているとともに、前記バックプレーンと電気通信している電気アセンブリと、
前記画像生成アセンブリと、前記バックプレーンと、前記電気アセンブリとを収容するハウジングと、
前記電気アセンブリを前記ハウジングから除去できるようにする寸法を備えるとともに前記ハウジング内に在るアクセスパネルと、
を備えることを特徴とする電子ディスプレイ。
【請求項２】
前記電子ディスプレイは、更に、
前記バックプレーンと電気通信しているとともに、パーソナルコンピュータと通信するようになされたデータインタフェースを備える請求項１に記載の電子ディスプレイ。
【請求項３】
前記画像生成アセンブリは、ＯＬＥＤディスプレイである請求項１または請求項２のいずれかに記載の電子ディスプレイ。
【請求項４】
前記画像生成アセンブリは、ＬＣＤディスプレイである請求項１に記載の電子ディスプレイ。
【請求項５】
前記電子ディスプレイは、更に、
前記ＬＣＤに隣接して配置されているとともに前記バックプレーンと電気通信しているＬＥＤバックライトを備える請求項４に記載の電子ディスプレイ。
【請求項６】
前記電気アセンブリは電源である請求項１に記載の電子ディスプレイ。
【請求項７】
前記電子ディスプレイは、前記電源の他に、Ｎ個の電源を更に備えており、前記更なるＮ個の電源は、前記バックプレーンに着脱可能に接続されているとともに前記バックプレーンと電気通信しており、前記Ｎは、前記画像生成電子アセンブリを動作させるのに必要な電源の個数である請求項６に記載の電子ディスプレイ。
【請求項８】
液晶ディスプレイであって、
液晶スタックと、
前記液晶スタックに隣接して配置されているバックライトと、
前記液晶スタックおよび前記バックライトと電気通信しているとともに複数のブラインド・メイト・コネクタを含んでいるバックプレーンと、
前記バックプレーンの前記複数のブラインド・メイト・コネクタに接続されているＮ＋１個の電源と、
前記液晶スタックと、前記バックライトと、前記バックプレーンと、前記Ｎ＋１個の電源とを収容するハウジングと、
電力モジュールを前記バックプレーンから分離して前記ハウジングから除去できるようにする寸法となされた、前記ハウジング内に在るアクセスパネルと、
を備えており、
Ｎは、前記液晶スタックおよび前記バックライトを所定の性能レベルで駆動するのに必要な電源の数であることを特徴とする液晶ディスプレイ。
【請求項９】
前記液晶ディスプレイは、更に、
前記バックプレーンと電気通信しているとともに、パーソナルコンピュータと通信するようになされたデータインタフェースを備える請求項８に記載の液晶ディスプレイ。
【請求項１０】
前記液晶ディスプレイは、更に、
前記バックプレーンの前記複数のブラインド・メイト・コネクタに接続されているとともに前記アクセスパネルに隣接して配置されているＬＣＤタイミング制御モジュールを備える請求項８または請求項９のいずれかに記載の液晶ディスプレイ。
【請求項１１】
電子ディスプレイアセンブリであって、
対象とする観察者に面する前面と、前記前面の反対側の後面と、上面と、底面と、左側面と、右側面とを有するハウジングと、
前記ハウジング内に配置されている電子画像アセンブリと、
前記ハウジング内に在るとともに前記電子画像アセンブリと電気通信しており、複数のブラインド・メイト・コネクタを収容するバックプレーンと、
前記ブラインド・メイト・コネクタに接続されている電源と、
前記ハウジングの前記上面、底面、左側面、又は右側面の内側に在るとともに、電力モジュールを前記ブラインド・メイト・コネクタから分離して前記ハウジングから除去できるようにする寸法となされたアクセスパネルと、
を備えることを特徴とする電子ディスプレイアセンブリ。
【請求項１２】
前記電子画像アセンブリは、ＯＬＥＤディスプレイである請求項１１に記載の電子ディスプレイアセンブリ。
【請求項１３】
前記電子画像アセンブリは、ＬＣＤである請求項１１に記載の電子ディスプレイアセンブリ。
【請求項１４】
前記電子ディスプレイアセンブリは、更に、
前記複数のブラインド・メイト・コネクタに接続されているとともに前記アクセスパネルに隣接して配置されている電子タイミング制御アセンブリを備える請求項１１から請求項１３のいずれかに記載の電子ディスプレイアセンブリ。
【発明の詳細な説明】
【技術分野】
【０００１】
本発明は、概して、電子ディスプレイに関し、詳しくは、電子ディスプレイを装着した状態のままで除去する必要なく、除去及び交換可能な部品を備える電子ディスプレイに関する。
【背景技術】
【０００２】
電子ディスプレイは、屋内娯楽目的で有用になっているだけでなく、今日では屋内および屋外広告／情報目的でも利用されている。例えば、液晶ディスプレイ（ＬＣＤ）、プラズマディスプレイ、および他の多くの平面パネルディスプレイが、今日、消費者自身の家の外側の場所で、または空港、競技場、スタジアム、レストラン／バー、ガソリンスタンドのポンプ、広告掲示板、および自動車の最上部やトラックの側面上の移動ディスプレイでさえ、情報および広告材料を消費者に示すために使用されている。
【発明の概要】
【発明が解決しようとする課題】
【０００３】
平面パネルディスプレイの急速な発展により、ユーザは以前には利用できなかった様々な場所にこれらのディスプレイを取り付けることが可能になってきている。さらに、高品位（ＨＤ）テレビの人気により、より大型でより明るいディスプレイ、特にＨＤビデオを製造することができる大型ディスプレイに対する需要が増大している。競争の激しい消費者向け広告分野でも、大型で注目度の高い明るいディスプレイに対する需要が増大している。これらの特徴を提供することができるディスプレイは通常、時間が経つにつれて故障したり性能が低下したりする可能性のあるいくつかの高度な電子アセンブリを収容している。これらのディスプレイがユーザが所望する位置に取り付けられる場合、故障した電子アセンブリを交換する作業は、費用と時間のかかるプロセスとなりうる。さらに、交換は通常、ディスプレイを修理するために、「クリーンルーム」環境または別の特殊な装置を必要とする。さらに、目前の独自技術に関する特殊な知識および訓練が、これらの高度なディスプレイをトラブルシュートし修理するために必要である。
【０００４】
例示的な実施形態の電子ディスプレイの電子アセンブリは、電子ディスプレイを装着したままで除去する必要なしに、除去、修理、かつ／または交換することができる。取り外し可能なアセンブリは、ディスプレイハウジングの側面から除去することができ、ブラインド・メイト・コネクタ（ｂｌｉｎｄ  ｍａｔｅ  ｃｏｎｎｅｃｔｏｒｓ）を使用してディスプレイに電気的に接続することができる。Ｎ＋１個の電源が、ディスプレイの信頼性を高めるために使用されうる（ただし、Ｎはディスプレイを動作させるために必要な電源の数である）。
【課題を解決するための手段】
【０００５】
実施形態により、ディスプレイは、装着された状態のままで、最小限の訓練しか受けていない者でも、そのディスプレイを即座に修理することが可能である。エンドユーザがディスプレイを自分で修理することもできる。さらに、すべてが同じディスプレイプラットホームをベースとしている複数の異なるディスプレイ構成が販売されうる。したがって、エンドユーザは、所望する正確な構成要素を選択することができ、または、代替技術または改良技術に基づいて元の構成要素をグレードアップすることもできる。これにより、ディスプレイ製造業者は、後でエンドユーザの正確な要求に適応することができる数ベースモデルを製造するだけでよいので、製造コストを低減することができる。
【０００６】
本明細書で開示される例示的な実施形態は、包括的なものではなく、または実施形態の範囲を不必要に限定するものでもない。例示的な実施形態は、原理を説明するために選択され記述されており、したがって、当業者ならそれらの実施形態を実施することができる。例示的な実施形態を図示し説明しているが、当業者なら、記述されている本発明に影響を与えるように多くの変形および修正がなされうることを理解するであろう。そうした変形および修正の多くは、同じ結果をもたらし、例示的な実施形態の精神に含まれる。したがって、特許請求の範囲に示されているように、実施形態だけを限定する意図がある。
【０００７】
以下の詳細な説明と同じ参照文字が同じ部品を指している添付図面とを読むことにより、より理解が深まるであろう。
【図面の簡単な説明】
【０００８】
【図１Ａ】本発明に係わる装着位置にあるディスプレイの斜視図である。
【図１Ｂ】図１Ａのディスプレイのディスプレイハウジングの下面を示したディスプレイの斜視図である。
【図１Ｃ】図１Ｂのディスプレイのアクセスカバーが除去された状態における取り外し可能な電子アセンブリがアクセスされている場合の図である。
【図２】本発明の例示的な実施形態の電気的接続を示す概略図である。
【発明を実施するための形態】
【０００９】
図１Ａは、垂直面１１上に取り付けられた例示的なディスプレイ１０を示す。従来のディスプレイでは、電子部品が故障すると、ディスプレイは、その装着位置から除去され、分解され、次いで修理する必要がある。従来のディスプレイの修理には、多くの特殊な装置および訓練を必要とし、多くの場合「クリーンルーム」に近い環境を必要とすることがある。本発明の実施形態のディスプレイは、その修理に従事する時間および複雑性を減らすとともに、特に、修理中に装着したままにしておけるようにするために、複数の措置を施している。
【００１０】
図１Ｂは、電子ディスプレイ１０の底面１２を示す。アクセスパネル１３は、取り外し可能な電子アセンブリを覆うために使用することができる（図１Ｃ参照）。アクセスパネル１３はロック機構１４を使用して固定することができ、ロック機構１４は、権限のない人が取り外し可能な電子アセンブリにアクセスするのを防止することができる。
【００１１】
図１Ｃは、図１Ａおよび図１Ｂの電子ディスプレイの電子アセンブリ１５が除去されている最中を示す。取り外し可能な電子アセンブリ１５は、時折故障することで知られている任意の数の電子アセンブリである。これらのアセンブリは、以下に限定されるものではないが、電源、アナログ／デジタル（Ａ／Ｄ）コンバータ、またはタイミング制御ユニット（Ｔ−ｃｏｎ）のうちのいずれか一つを含むことができる。
【００１２】
図２は、本発明の例示的な実施形態の配線図を示す。この実施形態では、Ｔｃｏｎは、Ａ／Ｄコンバータと一体化されて単一の表示制御装置アセンブリ２０になっている。この一体化により、通常は従来のディスプレイに使用されるＬＶＤＳケーブル（延長作業後に故障することとしても知られている）を完全に除去することが可能になる。この実施形態は、３つの別個の取り外し可能な電源２１（または電力モジュール）を示している。好ましい一実施形態では、取り外し可能な電源２１は、ディスプレイが動作している間にシステムからホットスワップすることができる。好ましい実施形態を用いた大型ディスプレイの場合、取り外し可能な電源２１は直流２４Ｖを５００ワットで供給することができる。
【００１３】
Ｎ＋１技術（Ｎ＋１  ｔｅｃｈｎｉｑｕｅ）を用いると、図示のディスプレイを動作させるために２個の電源だけでよい。したがって、通常運転の間、３個の電源２１のうち２個だけが利用されることになる。この場合、３つの電源のうちの１個の電源が故障したときに、残りの２個は、故障した電源が交換されうるまでディスプレイを動作させるのに十分である。バックプレーン２２と表示制御装置アセンブリ２０との間で通信を行って外部ＬＥＤを点灯するよう指示し、もって、ディスプレイが修理を必要、より詳細に言えば、電源のうちの１個が交換される必要がある旨の情報をユーザに提供する。Ｎ＋１技術は、非常に重要な機能を提供するとともに、ダウンタイムがほとんどまたは全くないほぼ一定の動作を必要とするディスプレイにとって極めて有用である。Ｎ＋１技術は単なるオプションにすぎず、様々な実施形態に必要ないことに留意されたい。取り外し可能な電子アセンブリ２０および２１のそれぞれは、ブラインド・メイト・コネクタを使用してディスプレイのバックプレーン２２と接続される。
【００１４】
この図には、バックライト２３、ＬＣＤアセンブリ２４、およびディスプレイパネル２５も示されている。バックライト２３は、ＣＣＦＬまたは発光ダイオード（ＬＥＤ）バックライトとすることができる。この図ではＬＣＤ用のセットアップが示されているが、本発明では任意の電子画像生成アセンブリで実行されうることに留意されたい。したがって、プラズマディスプレイ、発光ポリマーディスプレイ、有機発光ダイオード（ＯＬＥＤ）ディスプレイなどの他の任意の平面パネルディスプレイを使用することができる。高温に達する可能性のあるディスプレイに随意に冷却するためのファンアセンブリ２６が示されている。１つまたは複数の温度センサ２７が、ディスプレイの温度を監視し、ファンアセンブリ２６に選択的に係合するように使用されうる。環境光センサは、周囲環境に基づいた適切な照明を行うために、バックライト２３の出力を調整するために使用される。
【００１５】
種々の異なる電気入力部／出力部も示されている。交流電源入力部３０は、バックプレーン２２に入力電力を送出する。ビデオ信号入力部３１は、複数の異なるソースからビデオ信号を受け取ることができる。好ましい一実施形態では、ビデオ信号入力部３１はＨＤＭＩ入力である。２つのデータインタフェース接続部３２および３３も示されている。第１のデータインタフェース接続部３２は、ユーザのセットアップおよびシステムの監視を容易にすることができるＲＳ２３３２ポートまたはＩＥＥＥ  ８０２．３ジャックとすることができる。どちらの形態の接続部も、パーソナルコンピュータとの電気通信を可能にするものとする。第２のデータインタフェース接続部３３は、イーサネット（登録商標）ポートや無線接続などのネットワーク接続とすることができる。第２のデータインタフェース接続部３３は、表示設定、エラーメッセージ、および様々な他の形態のデータを、ユーザによるアクセスまたは制御のためのウェブサイトに伝送するために利用することができる。内部または外部のスピーカアセンブリに接続するためのオプションの音声コネクタ３４を設けることもできる。
【００１６】
図２に示されている配線図は、同図に示されている各構成要素の特定の配置および／または配線を必要としないことに留意されたい。種々のセンサ、電気接続部、および他の構成要素は、原寸に比例して描かれてはおらず、図示の位置に配置される必要もない。
【００１７】
ＴｃｏｎとＡ／Ｄコンバータおよび従来のディスプレイのＬＶＤＳケーブルとの組み合わせは、様々な実施形態に必要ないことにも留意すべきである。いくつかの実施形態は、これらの品目を別個の固定式または取り外し可能なアセンブリとして使用し続けることができる。図２に示されている例示的な実施形態は、単純に、耐久性のあるディスプレイを作るための最も例示的な態様として選択された。取り外し可能なアセンブリと固定式アセンブリとの他の組み合わせが特に考えられ、実施形態の範囲内にある。
【００１８】
ディスプレイの様々な構成要素の状態を監視するための情報は、２つのデータインタフェース接続部３２および３３のどちらかを介して伝送することができ、それによって、ユーザは、構成要素が不適切に機能していて故障しかかっているかまたは既に故障している可能性があり、交換の必要があるときに、通知を受けることができる。別法として、または組み合わせて、ディスプレイ上の外部指示器が、構成要素に配慮が必要となりうることをユーザに知らせることもできる。外部ＬＥＤ、ディスプレイの画像内の量水標、または他の注目度の高い装置が、ディスプレイ内の障害についてユーザに注意を喚起するために使用されてもよい。ディスプレイの状態を監視するための情報としては、以下に限定されるものではないが、電力供給状態、電源試験結果、交流入力電流、温度センサ、ファン回転速度、ビデオ入力状態、ファームウェアリビジョン、および光レベルセンサとすることができる。また、ユーザは、以下に限定されるものではないが、オン／オフ、明るさレベル、環境光センサを有効にすること、種々のアラート設定、ＩＰアドレス、顧客定義テキスト／ビデオ、表示マトリックス設定、ＯＳＤによる画像設定の表示、種々のソフトウェア機能などの設定を調整することができる。これらの設定は、２つのデータインタフェース接続部３２および３３のどちらからも監視し変更することができる。
【００１９】
本明細書に示されているように、取り外し可能な電子アセンブリは、ディスプレイをその装着位置から除去する必要なしに、容易に除去し、修理し、かつ／または交換することができる。これは、以下に限定されるものではないが、ディスプレイの修理にかかるダウンタイム、修理にかかる費用、ディスプレイをその装着位置から除去し修理に適した環境へ運ぶことによりディスプレイを損傷させる危険性、１つの小さい内部構成要素の故障のために完全に除去され交換される必要の可能性のある高価なディスプレイに投資することの危険性などの多くの点でユーザの役に立つ。さらに、これにより、製造業者は、単一のベースモデルを製造する必要があるだけで、様々な異なる種類のディスプレイを提供することができる。製造業者は、ユーザの様々なニーズを満たすことができる複数の異なる表示制御装置アセンブリを提供することができる。ユーザは、ユーザのニーズが変化するにつれて、または技術が進歩するにつれて、ユーザの表示制御装置アセンブリをアップグレードすることもできる。ユーザは、特殊な装置や広範囲の訓練を必要とせずに、古いアセンブリを容易に除去し、新しいアセンブリを設置することが可能となりうる。各取り外し可能なアセンブリは、一般に入手可能な工具で製造業者の最小限の指導で除去／設置することができるように、一般的な機械的締結手段で所定の位置に保持することができる。閉じたタブが、アセンブリを解除し除去するためにいかなる工具も必要としないいくつかの実施形態で使用されうる。他の実施形態は、従来のねじまたは機械的締結具を使用することができる。
【００２０】
好ましい実施形態について図示し説明してきたが、当業者なら、多くの変形および修正が、上述の実施形態に影響を与えるようになされ、依然として特許請求の範囲内にありうることを理解するであろう。したがって、上述した要素のうちの多くは、同じ結果をもたらしかつ特許請求する実施形態の精神に入る別の要素で変更または交換することができる。したがって、特許請求の範囲に示されているように、本発明だけを限定する意図がある。
【図１Ａ】
2012514956.tif 000003
【図１Ｂ】
2012514956.tif 000004
【図１Ｃ】
2012514956.tif 000005
【図２】
2012514956.tif 000006
【国際調査報告】
2012514956.tif 000007
2012514956.tif 000008